(57)【要約】【要  約】【課  題】  安定したサイト運営収入が確保できると共に、インターネットを介して現実の地域コミュニティを活性化することが期待できるコミュニティサイトを提供する。【解決手段】  地域に関係した掲示板情報を管理する電子掲示板システムと、当該地域に関係した店舗、事業者および公共施設を利用形態に応じて分類し、その広報を掲載した掲載情報を、対価をもらわない掲載情報と、対価をもらう掲載情報とに区分してディレクトリ情報として管理するディレクトリシステムと、当該地域に密着した事項についてコミュニティサイト運営者側が作成する発信情報を管理する情報発信システムを備え、これら３つのシステムがそれぞれ管理するシステム情報を、情報要素の間で情報のリンク付けを実施し、情報要素毎にシステム属性を付与してデータベースに格納してなる。【選択図】        図１
2006031216.tif 000002
【特許請求の範囲】
【請求項１】
インターネットを介して接続された複数のユーザ情報端末と、相互に情報を授受するコミュニティサイト提供装置であって、
地域に関係した掲示板情報を管理する電子掲示板システムと、当該地域に関係した店舗、事業者および公共施設を利用形態に応じて分類し、その広報を掲載した掲載情報を、対価をもらわない掲載情報と、対価をもらう掲載情報とに区分してディレクトリ情報として管理するディレクトリシステムと、当該地域に密着した事項についてコミュニティサイト運営者側が作成する発信情報を管理する情報発信システムを備え、これら３つのシステムがそれぞれ管理するシステム情報を、情報要素の間でリンク付けを実施し、情報要素毎にシステム属性を付与してデータベースに格納してなることを特徴とするコミュニティサイト提供装置。
【請求項２】
前記データベースには、掲示板情報の所定の情報要素に対してリンクが設定され、該リンクが設定された掲示板情報の所定の情報要素を介して、当該地域に関係した店舗、事業者および公共施設の広報を掲載した掲載情報と、当該地域に密着した事項についての発信情報をユーザ情報端末に表示可能にされていることを特徴とする請求項１に記載のコミュニティサイト提供装置。
【請求項３】
前記データベース内に異なる地区の複数のコミュニティサイトを構築する場合、前記データベースには、３つのシステムがそれぞれ管理するシステム情報の情報要素毎に、システム属性に加え、さらに地区属性を付与して格納されていることを特徴とする請求項１または２に記載のコミュニティサイト提供装置。
【請求項４】
インターネットを介して接続された複数のユーザ情報端末と、コミュニティサイト提供装置との間で相互に情報の授受が可能なコミュニティサイトシステムにおいて、
前記コミュニティサイト提供装置は、
地域に関係した掲示板情報を管理する電子掲示板システムと、当該地域に関係した店舗、事業者および公共施設を利用形態に応じて分類し、その広報を掲載した掲載情報を、対価をもらわない掲載情報と、対価をもらう掲載情報とに区分してディレクトリ情報として管理するディレクトリシステムと、当該地域に密着した事項についてコミュニティサイト運営者側が作成する発信情報を管理する情報発信システムを備え、これら３つのシステムがそれぞれ管理するシステム情報を、情報要素の間でリンク付けを実施し、情報要素毎にシステム属性を付与してデータベースに格納してなり、
前記ユーザ情報端末は、当該地域に関係した店舗、事業者および公共施設の広報を掲載した掲載情報と、当該地域に密着した事項についての発信情報を無料で受けることができることを特徴とするコミュニティサイトシステム。
【請求項５】
前記データベースには、掲示板情報の所定の情報要素に対してリンクが設定され、該リンクが設定された掲示板情報の所定の情報要素を介して、当該地域に関係した店舗、事業者および公共施設の広報を掲載した掲載情報と、当該地域に密着した事項についての発信情報をユーザ情報端末に表示可能にされていることを特徴とする請求項４に記載のコミュニティサイトシステム。
【請求項６】
前記データベース内に異なる地区の複数のコミュニティサイトを構築する場合、前記データベースには、３つのシステムがそれぞれ管理するシステム情報の情報要素毎に、システム属性に加え、さらに地区属性を付与して格納されていることを特徴とする請求項４または５に記載のコミュニティサイトシステム。
【発明の詳細な説明】
【技術分野】
【０００１】
本発明は、地域を限定したコミュニティサイト提供装置および地域を限定したコミュニティサイトシステムに係り、特にインターネットを介して接続された複数のユーザ情報端末と、相互に情報を授受するコミュニティサイトを、地域に限定しつつ、構築する技術に関する。
【背景技術】
【０００２】
近年、情報処理や情報通信などのコンピューティング技術が飛躍的に向上し、コンピュータ・システムが広汎に普及してきている。また、コンピュータ同士をより複雑、高度に相互接続するコンピューティング技術に対する要望も高まってきている。
【０００３】
特にインターネット（The internet）を介してコンピュータ同士で相互に情報を授受することにより、コンピュータ資源の共有や、情報の共有・流通・配布・交換などの作業を円滑に行うことが可能である。なお最近、携帯電話やテレビ受像器に接続して使用するセットボックスなどが、パソコン以外にユーザ情報端末として使用されている。
【０００４】
インターネットは、ネットワーク同士の相互接続を繰り返し行った結果として世界規模にまで広がったコンピュータ・ネットワーク・システムであり、インターネット上では、様々な有料・無料のサービス情報が提供されている。代表的なものとしてＷＷＷ（World Wide Web）や電子掲示板（Bulletin Board System）がある。
【０００５】
ＷＷＷはハイパーリンク構造の情報空間を提供する広域情報検索システムであり、一方電子掲示板は、ネットワーク上のサーバにおいてコンピュータライズされた掲示情報を蓄積し、その掲示情報を他のユーザがユーザ情報端末により閲覧するシステムである。インターネットに接続されたサーバに保存された掲示情報は、サーバ上で一元管理できる他、広域的に散在しているユーザ間でリアルタイムで情報を交換することもできる（特許文献１、２など）。
【０００６】
特許文献１には、他人を誹謗・中傷するようなメッセージや、電子掲示板システムの品位を低下せしめるような、電子掲示板に掲載されるのにふさわしくないメッセージが掲載されてしまうことを防止する必要性から、電子掲示板への掲載希望メッセージの内容を自動的に検査する機能を有する電子掲示板システムが提案されている。
【０００７】
また特許文献２には、インターネットのようなコンピュータ・ネットワーク上で構築・提供されるサービスの利用者に対して対価を適切に課金することができるコミュニティサービス提供装置およびコミュニティシステムに関して示されている。
【０００８】
特許文献２に記載のコミュニティサービス提供装置およびコミュニティシステムは、コミュニティシステムへのログイン自体には課金せずに、コミュニティサービスの中でユーザに対して特権を付与するユーザ固有の仮想空間に対して課金するようにしている。この特許文献２に記載の発明によれば、無料・有料のサービス情報を問わず多くのユーザを吸収してコミュニティ内の活動を維持しつつ、有料のサービス情報を受けたユーザに対しては利用状況に応じた対価を課金することができるという利点がある。
【特許文献１】特開平１１−２５９３８９号公報
【特許文献２】特開２００１−１０５００２号公報
【発明の開示】
【発明が解決しようとする課題】
【０００９】
しかし、特許文献２に記載のコミュニティサービス提供装置およびコミュニティシステムは、地域を限定せずにコミュニティを構築しているため、その構築、維持に莫大な費用がかかる。
【００１０】
そこで例えば地域ポータルサイトと称されるウエブサイト（地域ポータルサイトを運営する主体のこと）が存在しており、日本国などの国を対象エリアとした広域ウエブサイトと、対象エリアをそれよりも狭い特定地域に限定した地域限定ウエブサイトとがある。
【００１１】
ところが広域ウエブサイトによって構築・提供されるサービス情報は、県やそれより狭い地域に密着した発信情報と広域情報とが混在しているために、このような広域ウエブサイトにより提供されるサービス情報によって、現実の地域コミュニティが活性化することができるか、否かは不透明であるという問題がある。
【００１２】
また一方、地域限定ウエブサイトによって構築・提供されるサービス情報は、趣味で主催している個人がそれを運営している場合が多く、安定したサイト運営収入が確保できないために、国より狭い県や市や地区などの地域に密着した発信情報を十分にユーザに提供するのが困難であり、またウエブサイトの継続性にも問題がある。
【００１３】
したがって後者に、現実の地域コミュニティを活性化することを期待するには無理がある。
【００１４】
そこで本発明は、上記従来技術の問題点を解消し、安定したサイト運営収入が確保できると共に、インターネットを介して現実の地域コミュニティを活性化することが期待できるコミュニティサイトを提供することを目的とする。
【課題を解決するための手段】
【００１５】
第１の発明は、インターネットを介して接続された複数のユーザ情報端末と、相互に情報を授受するコミュニティサイト提供装置であって、
地域に関係した掲示板情報を管理する電子掲示板システムと、当該地域に関係した店舗、事業者および公共施設を利用形態に応じて分類し、その広報を掲載した掲載情報を、対価をもらわない掲載情報と、対価をもらう掲載情報とに区分してディレクトリ情報として管理するディレクトリシステムと、当該地域に密着した事項についてコミュニティサイト運営者側が作成する発信情報を管理する情報発信システムを備え、これら３つのシステムがそれぞれ管理するシステム情報を、情報要素の間でリンク付けを実施し、情報要素毎にシステム属性を付与してデータベースに格納してなることを特徴とするコミュニティサイト提供装置である。
【００１６】
また第２の発明は、インターネットを介して接続された複数のユーザ情報端末と、コミュニティサイト提供装置との間で相互に情報の授受が可能なコミュニティサイトシステムにおいて、前記コミュニティサイト提供装置は、
地域に関係した掲示板情報を管理する電子掲示板システムと、当該地域に関係した店舗、事業者および公共施設を利用形態に応じて分類し、その広報を掲載した掲載情報を、対価をもらわない掲載情報と、対価をもらう掲載情報とに区分してディレクトリ情報として管理するディレクトリシステムと、当該地域に密着した事項についてコミュニティサイト運営者側が作成する発信情報を管理する情報発信システムを備え、これら３つのシステムがそれぞれ管理するシステム情報を、情報要素の間でリンク付けを実施し、情報要素毎にシステム属性を付与してデータベースに格納してなり、
前記ユーザ情報端末は、当該地域に関係した店舗、事業者および公共施設の広報を掲載した掲載情報と、当該地域に密着した事項についての発信情報を無料で受けることができることを特徴とするコミュニティサイトシステムである。
【００１７】
本発明にかかるコミュニティサイト提供装置もしくはコミュニティサイトシステムにおいて、前記データベースには、掲示板情報の所定の情報要素に対してリンクが設定され、該リンクが設定された掲示板情報の所定の情報要素を介して、当該地域に関係した店舗、事業者および公共施設の広報を掲載した掲載情報と、当該地域に密着した事項についての発信情報をユーザ情報端末に表示可能にされていることが好ましい。
【００１８】
また本発明にかかるコミュニティサイト提供装置もしくはコミュニティサイトシステムにおいて、前記データベース内に異なる地区の複数のコミュニティサイトを構築する場合、前記データベースには、３つのシステムがそれぞれ管理するシステム情報の情報要素毎に、システム属性に加え、さらに地区属性を付与して格納されていることことが好ましい。
【発明の効果】
【００１９】
第１、第２の発明によれば、電子掲示板システムにより電子掲示板に掲示する掲示板情報を介してコミュニティを形成するに際して、コミュニティサイト運営者側からユーザ側に提供するサービス情報、すなわち店舗、事業者および公共施設などを掲載した掲載情報やコミュニティサイト運営者側が作成する発信情報を当該地域に密着した事項に関する情報とすることによって、地域コミュニティを形成することができる。
【００２０】
また第１、第２の発明によれば、コミュニティサイト運営者側が当該地域に密着した話題を電子掲示板の題目として掲示することによって、形成するコミュニティを当該地域に限定しつつ、地域コミュニティを活発にすることも可能である。これらの電子掲示板に掲示された掲示板情報は、電子掲示板システムによって一括管理され、データベースに格納される。
【００２１】
また第１、第２の発明によれば、当該地域に関係した店舗、事業者および公共施設を利用形態に応じて分類し、その広報を掲載した掲載情報を、対価をもらわない掲載情報と、対価をもらう掲載情報とに区分してディレクトリ情報として管理すると共に、データベースに格納するディレクトリシステムを具備しているから、このディレクトリシステムを活用してデータベースに格納した、対価をもらう掲載情報についてその対価を積算することにより、コミュニティサイト運営者側へ入るサイト運営収入を明確にできる。
【００２２】
またさらに第１、第２の発明によれば、コミュニティサイト運営者側が作成する発信情報を管理すると共にデータベースに格納する情報発信システムを備えているから、情報発信システムを活用してデータベースに格納した、発信情報を作成するのに要した費用を積算することで、サーバなどの設備償却費や保守費を除いて、コミュニティサイト運営者側から、発信情報作成費用として出ていく支出を明確にできる。
【００２３】
またさらに第１、第２の発明は、これら３つのシステムがそれぞれ管理するシステム情報を、情報要素の間でリンク付けを実施し、情報要素毎にシステム属性を付与して前記データベースに格納してなる装置とすることができるから、ユーザはサービス情報をユーザ情報端末により簡単にかつ頻繁に受け取ることができる。
【００２４】
また第２の発明においては、前記ユーザ情報端末は、当該地域に関係した店舗、事業者および公共施設の広報を掲載した掲載情報と、当該地域に密着した事項についての発信情報を共に、サービス情報として無料で受けることができるから、地域を限定したコミュニティサイトの継続利用に結びつく。
【００２５】
したがって第１、第２の発明により、当該地域に関係した店舗、事業者および公共施設を効率的に当該地域のユーザにピーアールすることができるようになり、安定したサイト運営収入が確保できると共に、インターネットを介して現実の地域コミュニティを活性化することが期待できる。
【発明を実施するための最良の形態】
【００２６】
図１により、本発明の実施の形態にかかるコミュニティサイト提供装置について説明する。図１中、１は、ブラウザとも称されるユーザ情報端末を示し、インターネット３には、複数のユーザ情報端末１が接続されている。
【００２７】
なお図１には、インターネット３に接続されたユーザパソコン１Ａ、携帯端末（携帯電話など）１Ｂ、家電情報端末１Ｃをそれぞれ１つしか示していないが、インターネット３には、図示しない複数のユーザパソコン、複数の携帯電話などの携帯端末および複数の家電情報端末が接続されていることは説明するまでもない。
【００２８】
なお、本発明の実施の形態にかかるコミュニティサイト提供装置を、ウエブサーバ（Web-Server）、メールサーバ（Mail-Server）およびデータベースを具備した汎用のサーバ２とした場合には、インターネット３を介してどのユーザ情報端末１（ユーザパソコン１Ａ、携帯電話などの携帯端末１Ｂ、家電情報端末１Ｃ）とも相互に情報を授受することができる。
【００２９】
ただし、相互に情報を授受することができるユーザ情報端末１とは、インターネット３を介してサーバ２内に備えた電子掲示板システム４によって提供される電子掲示板に、メッセージを掲示することができると共に、該電子掲示板にすでに掲載された掲示板情報をユーザ側の端末画面に表示する機能を有し、また後述するリンク付けした掲示板情報を介して、当該地域に関係した広報を掲載した掲載情報、および当該地域に密着した事項についての発信情報をユーザ情報端末の端末画面に表示する機能を有するものとする。
【００３０】
インターネット３を介して接続されたユーザ情報端末１を有するユーザが、本発明の実施の形態にかかるコミュニティサイト提供装置の提供するコミュニティサイトに参加するには、単にコミュニティサイトのアドレス名、例えば、www.aaa.jpをユーザ情報端末１に入力してウエブサイトにアクセスするだけで、ログインすることができる。一旦、ログインしたユーザ情報端末１は、ログオフするまでの間、サーバ２から掲示板情報を授受することも、また当該地域に関係した広報を掲載した掲載情報や当該地域に密着した事項についての発信情報を受けることができる、いわゆるオンライン状態でサーバ２と接続される。同時に、サーバ２とオンライン状態で接続できるユーザ情報端末１の数は、サーバ２で決定され、オンライン状態で接続されたユーザ情報端末１の数が多くても、ユーザ情報端末１に、当該地域に関係した広報を掲載した掲載情報や当該地域に密着した事項についての発信情報を迅速に表示するには、伝送方式にもよるが、サーバ２の処理速度を早くする必要がある。したがって、ストレスなくユーザ情報端末１を使用できる環境で、同時にサーバ２とオンライン状態で接続できるユーザ情報端末１の数を増やそうとすると、サーバ２などの設備償が高くなり、その後の保守にも費用がかかる。
【００３１】
ここで、図１に示すような、インターネット３は世界的な規模のコンピュータ・ネットワーク・システムであり、インターネット３にはサーバ２をはじめ、サーバ２０、３０などのコンピュータが接続されている。サーバ２０はインターネット・接続プロバイダのコンピュータを示し、サーバ３０は有料・無料のサービス情報を提供する他のコミュニティサイト運営者が所有するコンピュータを示す。
【００３２】
ここで本発明の実施の形態にかかるコミュニティサイト提供装置は、前記のとおりコンピュータ自体は汎用であるサーバ２であるものの、電子掲示板システム４と、ディレクトリシステム５と、情報発信システム６を備え、３つのシステム４、５および６がそれぞれ管理するシステム情報を、情報要素の間でリンク付けを実施し、情報要素毎にシステム属性を付与してデータベース７に格納してなるコンピュータとされている。
【００３３】
この電子掲示板システム４は、地域に関係した掲示板情報を一括して管理すると共に、データベース７にコンピュータライズされたシステム情報として、情報要素毎にシステム属性を付与して蓄積すると共に、その掲示板情報をログインしている他のユーザがユーザ情報端末１により閲覧可能とするシステムである。
【００３４】
またディレクトリシステム５は、当該地域に関係した店舗、事業者および公共施設を利用形態に応じて分類し、その広報を掲載した掲載情報を、対価をもらわない掲載情報と、対価をもらう掲載情報とに区分してディレクトリ情報として管理するシステムである。
【００３５】
本発明の実施の形態にかかるコミュニティサイト提供装置のディレクトリシステム５によって管理するディレクトリ情報の一例を図４に示す。図４は、ディレクトリ情報の区分の一例を示す図であって、当該地域に関係した店舗、事業者の広報を掲載した掲載情報を、対価をもらわない掲載情報と、対価をもらう掲載情報とに情報量に応じて区分している場合を示した。この場合、対価は、広報掲載情報の作成時にかかる初期費と、月当たりの維持費と、広報掲載情報の内容変更費とからなり、広報掲載情報の作成時にかかる初期費および月当たりの維持費は、情報量に応じて小、中、大としている。一方、情報の内容が基本情報と、登録情報の場合には、対価をもらわない掲載情報とした。なお、当該地域に関係した店舗、事業者および公共施設を利用形態に応じて分類したものは、いわゆる一般にイエローページと称される電話帳のようなものである。
【００３６】
３つの情報システムのうちの情報発信システム６は、当該地域に密着した事項についてコミュニティサイト運営者側が作成する発信情報を管理すると共に、データベース７にコンピュータライズされたシステム情報として、情報要素毎にシステム属性を付与して蓄積する。
【００３７】
図５には、電子掲示板システム４、ディレクトリシステム５および情報発信システム６により格納したデータベース７における保存情報の一部を例示した。
【００３８】
ただし、図５は、サーバ２に設けた情報の保存場所であるハードディスク内における情報要素の配列を示すものではなく、図１に示した電子掲示板システム４、ディレクトリシステム５および情報発信システム６により、システム属性を明示して情報要素毎に格納されていることを示す。
【００３９】
すなわち、図５中、掲示板情報（題名、投稿者名・・・リンク付日時）は、電子掲示板システム４によりデータベース７に格納された情報要素であり、ディレクトリ情報（名称、ＴＥＬ・・・最終更新日時）はディレクトリシステム５によりデータベース７に格納された情報要素である。発信情報（題目、記事作成者、記事作成費、最終更新日時）は情報発信システム６によりデータベース７に格納された情報要素である。
【００４０】
普通、サーバ２のハードディスク内には、サーバ２によって格納する順に、情報要素毎に番号を付与され、空いている場所に適宜記録されるため、情報要素毎に読み出すこともできる。その際、本発明の実施の形態にかかるコミュニティサイト提供装置では、電子掲示板システム４により一括して管理される掲示板情報には、その旨のシステム属性を付与し、ディレクトリシステム５により一括して管理されるディレクトリ情報には、その旨のシステム属性を付与し、情報発信システム６により一括して管理される発信情報には、その旨のシステム属性を付与して、データベース７に格納する。システム属性は、サーバ２によって認識できるように付与すればよい。
【００４１】
このように３つのシステム４、５および６がそれぞれ管理するシステム情報を、情報要素毎にサーバ２によって認識できるようにシステム属性を付与してデータベース７に格納してなるコンピュータとすることによって、このディレクトリシステム５を活用してデータベースに格納した、対価をもらう掲載情報についてその対価を積算することにより、コミュニティサイト運営者側へ入るサイト運営収入を明確にできるし、情報発信システム６を活用してデータベースに格納した、発信情報を作成するのに要した費用を積算することで、サーバ２などの設備償却費や保守費を除いて、コミュニティサイト運営者側から、発信情報作成費用として出ていく支出を明確にできる。勿論、データベース７に格納してなる保存情報のシステム属性に応じて、管理方法を変えることもできる。
【００４２】
ここで、前記データベース７には、掲示板情報の所定の情報要素に対して、情報の関係付け、すなわちリンクを設定して格納することにより、該リンクが設定された掲示板情報の所定の情報要素を介して、当該地域に関係した店舗、事業者および公共施設の広報を掲載した掲載情報と、当該地域に密着した事項についての発信情報をユーザ情報端末１に表示可能にされている。情報要素に対してリンクを設定するとは、例えば、ＵＲＬ(Uniform Resourse Locator)によって情報同士を関係付けることであって、このリンクが設定された所定の情報要素をマウスポインタでクリックすると、関係付けたリンク先の情報を瞬時にしてユーザ情報端末１の画面に表示することができるようになる。
【００４３】
すなわち図２−１は、ディレクトリシステム５が管理する情報要素に対してリンクを設定した掲示板情報の一例を示す図である。また図３−１は、情報発信システム６が管理する情報要素に対してリンクを設定した掲示板情報の一例を示す図である。
【００４４】
図２−１に示したように、掲示板情報の所定の情報要素に対して、リンクを設定することにより、図２−２または図２−３に示すような、「ア店」または「イ店」に関連するディレクトリ情報が前記データベース７から読み出され、ユーザ情報端末１の画面に表示される。一方、図３−１に示したように、掲示板情報の所定の情報要素が情報発信システム６が管理するシステム情報である場合には、図３−２または図３−３に示すように、情報発信システム６が管理する発信情報である、「○○動物園レポート」または「○○動物園近くのウ店の団子について」の紹介記事が前記データベース７から読み出され、ユーザ情報端末１の画面に表示される。
【００４５】
この時、刻々、増える掲示板情報は、サーバ２内の掲示板システム４によって管理されているから、所定の時間経過したときに、その間に増えた分の掲示板情報が分かるから、その増えた分の掲示板情報の情報要素と、データベース７に格納したディレクトリ情報の情報要素、およびデータベース７に格納した発信情報の情報要素とを照合することにより、関係のある情報要素の間でリンク付けを実施し、図５に示すように、システム属性を付与して、データベース７に保存情報として格納すればよい。
【００４６】
本発明の実施の形態にかかるコミュニティサイト提供装置によれば、所定の時間経過したときに、その間に増えた分の掲示板情報は、掲示板システム４により、図５に示すように最終更新日時が付与されているから容易に特定することができる。具体的に、増えた分の掲示板情報の情報要素と、データベース７に格納したディレクトリ情報の情報要素、およびデータベース７に格納した発信情報の情報要素とを照合し、図２−１または図３−１に示したように、掲示板情報の情報要素にリンクを設定するには、サーバ２のＵＲＬ生成機能を用い、リンク付けを行うことができる。
【００４７】
その際には、図５に示したような、データベース７に格納したディレクトリ情報の情報要素、およびデータベース７に格納した発信情報の情報要素を用いる。
【００４８】
このリンクを設定した掲示板情報の情報要素は、ユーザ情報端末１がサーバ２にログインしてオンライン状態となっているときに、アクセスすると、ハードディスク内に記録された情報要素が瞬時に取り出され、当該地域に関係した広報を掲載した掲載情報かもしくは当該地域に密着した事項である発信情報が頻繁にかつ簡単にサービス情報として無料でユーザに提供される。
【００４９】
このため本発明にかかる、インターネットを介して接続された複数のユーザ情報端末と、コミュニティサイト提供装置との間で相互に情報の授受が可能なコミュニティサイトシステムにおいては、前記ユーザ情報端末１は、当該地域に関係した店舗、事業者および公共施設の広報を掲載した掲載情報と、当該地域に密着した事項についての発信情報を共に、サービス情報として無料で受けることができるから、地域を限定したコミュニティサイトの継続利用に結びつく。
【００５０】
したがって本発明にかかるコミュニティサイト提供装置もしくはコミュニティサイトシステムにより、当該地域に関係した店舗、事業者および公共施設を効率的に当該地域のユーザにピーアールすることができるようになり、安定したサイト運営収入が確保できると共に、インターネットを介して現実の地域コミュニティを活性化することが期待できる。ユーザは、当該地域に関係した店舗、事業者および公共施設を利用形態に応じて分類したディレクトリ情報およびコミュニティサイト運営者側が作成した発信情報に簡単にかつ頻繁にアクセスすることができる。
【００５１】
なお、コミュニティサイト運営者側が作成する発信情報は、当該地域に密着した情報とするのが好ましく、当該地域にある動物園に関するレポートや、当該地域にある店舗の美味しい食べ物に関する記事や、当該地域にある名所の紹介記事など当該地域に住むユーザが興味を示す記事を発信情報として、その道に詳しい者に所定の費用を支払って、作成するのが好ましい。
【００５２】
上述した本発明にかかるコミュニティサイト提供装置もしくはコミュニティサイトシステムにおいて、データベース７内に異なる地区の複数のコミュニティサイトを構築する場合、データベース７には、３つのシステムがそれぞれ管理するシステム情報の情報要素毎に、システム属性に加え、さらに地区属性を付与して格納されていることが好ましい。
【００５３】
この理由は、システム属性に加え、さらに地区属性を付与してデータベース７に格納しておくことにより、データベース７内に異なる地区の複数のコミュニティサイトを構築する場合、システム情報の重複保存をなくすことができるからである。
【実施例】
【００５４】
ＣＰＵが２．５ＧＨｚ、ハードディスク容量が８０ＧＢ、メモリ容量が５１２ＭＢのサーバ２内に、図１〜図４に示したような、電子掲示板システム４、ディレクトリシステム５、情報発信システム６およびデータベース７を構成し、発明例のコミュニティサイト提供装置とした。当初、人口１４万人の○○コミュニティサイトを開設した。
【００５５】
ただし図５中、３地区は「ち」県にあり、○○地区、△△地区は共に、「ち」県Ａ市であり、□□地区は、「ち」県Ｂ市である。△△地区のコミュニティサイトは準備中、□□地区は地域を限定したコミュニティサイトの計画がある。
【００５６】
このような場合、「ち」県に関するサービス情報は、３地区のそれぞれの保存情報として重複して保存せず、データベース７に３地区に共通する旨の地域属性を付与して保存する。同様に、Ａ市に関するサービス情報は、○○地区、△△地区のそれぞれの保存情報として重複して保存せず、○○地区、△△地区に共通する旨の地域属性を付与し、Ｂ市に関するサービス情報は、□□地区にのみ関する旨の地域属性を付与してデータベース７に保存する。このようにしてハードディスクの保存場所を効率的に使用した。  なおサーバ２は、ウエブサーバ（Web-Server）、メールサーバ（Mail-Server）、データベースシステムおよびネットワーク接続ポートを備えたコンピュータとした。
【００５７】
図６には、開設した○○コミュニティサイトの画面構成を示す。
【００５８】
△△地区もしくは□□地区のコミュニティサイトを開設した後に、そのコミュニティサイトへ移動するには、「○○コミュニティサイト」の横に表示されている「△△コミュニティへはここから」もしくは「□□コミュニティへはここから」にマウスポインタを合わせ、クリックすると、ＵＲＬのリンク構造によって、△△コミュニティサイトもしくは□□コミュニティサイトへ移動することを可能な構造とした。
【００５９】
ユーザが○○コミュニティサイトに参加するには、参加資格や参加制限は特にないからユーザ情報端末１のアドレスにwww.aaa.jpを入力することによって、サーバ２にログインすることができる。そしてインターネット３を介して接続された複数のユーザ情報端末１と、コミュニティサイト提供装置であるサーバ２との間で相互に情報の授受が可能なオンライン状態でユーザは、図６に示した画面上、スレッド式の掲示板の一覧をスレッドし、題目を閲覧し、興味ある題目にメッセージを自由に掲示することができる。
【００６０】
この発明例のコミュニティサイト提供装置では、増えた分の掲示板情報の情報要素と、データベース７に格納したディレクトリ情報の情報要素の名称、およびデータベース７に格納した発信情報の情報要素の題目とを照合し、サーバ２のＵＲＬ生成機能を用い、図２−１または図３−１に示したように、掲示板情報の情報要素にリンクを設定した。
【００６１】
したがってこのリンクを設定した掲示板情報の情報要素は、ユーザ情報端末１がサーバ２にログインしてオンライン状態となっているときに、マウスポインタを合わせ、クリックすると、ＵＲＬのリンク構造によって、リンク先の保存情報がデータベース７から瞬時に取り出され、当該地域に関係した広報を掲載した掲載情報かもしくは当該地域に密着した事項である発信情報が頻繁にかつ簡単にサービス情報として無料でユーザに提供される。
【００６２】
このため発明例のコミュニティサイト提供装置もしくはコミュニティサイトシステムによって、当該地域に関係した店舗、事業者および公共施設を効率的に当該地域のユーザにピーアールすることができるようになり、安定したサイト運営収入が確保できると共に、インターネットを介して現実の地域コミュニティを活性化することが期待できる。
【図面の簡単な説明】
【００６３】
【図１】地域を限定したコミュニティサイトシステムの全体構成を示す模式図である。
【図２−１】ディレクトリシステム５が管理する情報に対してリンク形成を行った掲示板情報の一例を示す図である。
【図２−２】図２−１に示す掲示板情報にリンクして表示可能な情報を例示した図である。
【図２−３】図２−１に示す掲示板情報にリンクして表示可能な他の情報を例示した図である。
【図３−１】情報発信システム６が管理する発信情報に対してリンク形成を行った掲示板情報の一例を示す図である。
【図３−２】図３−１に示す掲示板情報にリンクして表示可能な発信情報の一例を示す図である。
【図３−３】図３−１に示す掲示板情報にリンクして表示可能な他の発信情報の一例を示す図である。
【図４】ディレクトリ情報の区分の一例を示す図である。
【図５】データベース保存情報の属性を示す図である。
【図６】地域を限定したコミュニティサイトの画面構成である。
【符号の説明】
【００６４】
１  ユーザ情報端末
１Ａ  ユーザパソコン
１Ｂ  携帯端末（携帯電話など）
１Ｃ  家電情報端末
２、２０、３０  サーバ
３  インターネット
４  電子掲示板システム
５  ディレクトリシステム
６  情報発信システム
７  データベース
【図１】
2006031216.tif 000003
【図２−１】
2006031216.tif 000004
【図２−２】
2006031216.tif 000005
【図２−３】
2006031216.tif 000006
【図３−１】
2006031216.tif 000007
【図３−２】
2006031216.tif 000008
【図３−３】
2006031216.tif 000009
【図４】
2006031216.tif 000010
【図５】
2006031216.tif 000011
【図６】
2006031216.tif 000012